(57)【要約】      （修正有）【課題】秘匿情報が意図せず他者に閲覧されてしまうことを抑制する。【解決手段】腕に装着されるウェアラブル装置１０は、腕の外側に位置する表示領域１と腕の内側に位置する表示領域２に情報が表示される表示画面１２を備える。表示画面がユーザの腕に装着された状態で、表示領域１に秘匿する必要のない情報を表示した後、表示領域２に情報を表示させるための動作を検知した場合、表示領域２に秘匿情報を表示する。【選択図】図７
2020052572.tif 000002
【特許請求の範囲】
【請求項１】
第１の領域と第２の領域に情報が表示される表示画面と、
前記第２の領域に情報を表示させるための動作を検知する検知部と、
前記表示画面が腕に装着された状態で、他者から視認される腕の外側の位置に配置された前記第１の領域に秘匿する必要のない情報を表示した後、前記検知部で前記動作を検知した場合に、腕の外側の位置よりも他者から視認されにくい腕の内側の位置に配置された前記第２の領域に秘匿情報を表示する制御を行う制御部と、
を備えたウェアラブル装置。
【請求項２】
前記表示画面の腕への装着を検知する装着検知部を備え、
前記制御部は、前記装着検知部で前記表示画面が腕に装着されたことが検知された場合に、前記第１の領域に秘匿する必要のない情報を表示する
請求項１記載のウェアラブル装置。
【請求項３】
前記装着検知部は、脈拍を検出した場合に前記表示画面が腕に装着されたと検知すると共に、前記脈拍の検出位置から、前記表示画面における腕の外側の位置及び腕の内側の位置を検知し、
前記制御部は、前記装着検知部で検知された腕の外側の位置及び腕の内側の位置に、それぞれ前記第１の領域及び前記第２の領域を配置する制御を行う
請求項２記載のウェアラブル装置。
【請求項４】
前記表示画面の両端には、前記表示画面を腕に装着するための装着部材がそれぞれ備えられ、
前記制御部は、前記装着検知部が前記装着部材の各々が互いに接続されたことを検知した場合、前記装着部材の接続位置から腕の外側の位置までの腕に沿った距離として予め定めた第１の距離に前記第１の領域を配置し、前記装着部材の接続位置から腕の内側の位置までの腕に沿った距離として予め定めた第２の距離に前記第２の領域を配置する制御を行う
請求項２記載のウェアラブル装置。
【請求項５】
前記検知部は、前記ウェアラブル装置の装着者が前記第２の領域を眺めようとする動作を、前記第２の領域に情報を表示させるための動作として検知する
請求項１〜請求項４記載のウェアラブル装置。
【請求項６】
前記検知部は、腕の移動度合いを表す物理量を検知し、前記物理量が腕の内側を上にした場合に前記検知部で検知される範囲内に含まれる場合、前記第２の領域に情報を表示させるための動作が行われたと検知する
請求項５記載のウェアラブル装置。
【請求項７】
前記検知部は、撮影装置によって撮影された前記ウェアラブル装置の装着者の目を含む画像から、前記ウェアラブル装置の装着者の視線を特定し、特定した視線が第２の領域に向かっている場合、前記第２の領域に情報を表示させるための動作が行われたと検知する
請求項５記載のウェアラブル装置。
【請求項８】
前記制御部は、前記第２の領域に表示する秘匿情報を、前記第１の領域に表示される秘匿する必要のない情報の表示方向と異なる向きに表示する制御を行う
請求項１〜請求項７の何れか１項に記載のウェアラブル装置。
【請求項９】
前記制御部は、前記第２の領域に表示する秘匿情報の表示方向が、前記第１の領域に表示される秘匿する必要のない情報の表示方向と直交するように表示を制御する
請求項８記載のウェアラブル装置。
【請求項１０】
前記制御部は、前記第１の領域に表示される秘匿する必要のない情報の内容と関連する秘匿情報を前記第２の領域に表示する制御を行う
請求項１〜請求項９の何れか１項に記載のウェアラブル装置。
【請求項１１】
前記制御部は、事象の発生を通知する情報を前記第１の領域に表示し、前記第１の領域に表示された前記事象の内容を前記第２の領域に表示する制御を行う
請求項１０記載のウェアラブル装置。
【請求項１２】
コンピュータを、請求項１〜請求項１１の何れか１項に記載のウェアラブル装置の制御部として機能させるための制御プログラム。
【発明の詳細な説明】
【技術分野】
【０００１】
本発明は、ウェアラブル装置、及び制御プログラムに関する。
【背景技術】
【０００２】
特許文献１には、表示部と、前記表示部への接触物の接触を検出する接触検出部とを有し、前記表示部が円筒状に変形された第１状態と、前記表示部が円筒状に変形されていない第２状態とを有する携帯電子機器であって、前記第１状態において、前記表示部に前記接触物が接触した場合には、前記表示部上の接触された部位の近傍を表示領域として画像を表示し、前記表示部上の前記表示領域以外の部位を非表示領域とする携帯電子機器が開示されている。
【先行技術文献】
【特許文献】
【０００３】
【特許文献１】特開２０１７−９７４１１号公報
【発明の概要】
【発明が解決しようとする課題】
【０００４】
近年、ユーザの身体、例えば腕に装着された状態で情報処理を行う腕時計型のウェアラブル装置が普及し始めている。腕時計型のウェアラブル装置には、例えばユーザに時刻やメールの受信といった情報を表示するための表示画面が備えられており、ユーザが表示画面に重畳して設置されたタッチパネルを操作することで、ウェアラブル装置への指示が行われる。
【０００５】
こうした腕時計型のウェアラブル装置ではユーザによって表示画面が押下されると、ユーザに通知する情報がある場合には、表示画面の押下された位置に情報が表示される。したがって、表示画面に情報が表示されるまでどのような内容の情報が表示されるかわからないため、例えばユーザの個人情報を記載したメールの内容等、他者に知られたくない秘匿情報が表示されることもある。更に、情報を表示しようとしてユーザが押下した表示画面の位置が、他者から視認されるような位置であった場合には、秘匿情報が意図せず他者の視界に入る位置に表示されてしまうことになる。
【０００６】
本発明は、情報の内容に関わらず、ユーザが指定した位置に情報を表示する場合と比較して、秘匿情報が意図せず他者に閲覧されてしまうことを抑制することができるウェアラブル装置及び制御プログラムを提供することを目的とする。
【課題を解決するための手段】
【０００７】
上記目的を達成するために、請求項１記載のウェアラブル装置の発明は、第１の領域と第２の領域に情報が表示される表示画面と、前記第２の領域に情報を表示させるための動作を検知する検知部と、前記表示画面が腕に装着された状態で、他者から視認される腕の外側の位置に配置された前記第１の領域に秘匿する必要のない情報を表示した後、前記検知部で前記動作を検知した場合に、腕の外側の位置よりも他者から視認されにくい腕の内側の位置に配置された前記第２の領域に秘匿情報を表示する制御を行う制御部と、を備える。
【０００８】
請求項２記載の発明は、前記表示画面の腕への装着を検知する装着検知部を備え、前記制御部は、前記装着検知部で前記表示画面が腕に装着されたことが検知された場合に、前記第１の領域に秘匿する必要のない情報を表示する。
【０００９】
請求項３記載の発明は、前記装着検知部は、脈拍を検出した場合に前記表示画面が腕に装着されたと検知すると共に、前記脈拍の検出位置から、前記表示画面における腕の外側の位置及び腕の内側の位置を検知し、前記制御部は、前記装着検知部で検知された腕の外側の位置及び腕の内側の位置に、それぞれ前記第１の領域及び前記第２の領域を配置する制御を行う。
【００１０】
請求項４記載の発明は、前記表示画面の両端には、前記表示画面を腕に装着するための装着部材がそれぞれ備えられ、前記制御部は、前記装着検知部が前記装着部材の各々が互いに接続されたことを検知した場合、前記装着部材の接続位置から腕の外側の位置までの腕に沿った距離として予め定めた第１の距離に前記第１の領域を配置し、前記装着部材の接続位置から腕の内側の位置までの腕に沿った距離として予め定めた第２の距離に前記第２の領域を配置する制御を行う。
【００１１】
請求項５記載の発明は、前記検知部は、前記ウェアラブル装置の装着者が前記第２の領域を眺めようとする動作を、前記第２の領域に情報を表示させるための動作として検知する。
【００１２】
請求項６記載の発明は、前記検知部は、腕の移動度合いを表す物理量を検知し、前記物理量が腕の内側を上にした場合に前記検知部で検知される範囲内に含まれる場合、前記第２の領域に情報を表示させるための動作が行われたと検知する。
【００１３】
請求項７記載の発明は、前記検知部は、撮影装置によって撮影された前記ウェアラブル装置の装着者の目を含む画像から、前記ウェアラブル装置の装着者の視線を特定し、特定した視線が第２の領域に向かっている場合、前記第２の領域に情報を表示させるための動作が行われたと検知する。
【００１４】
請求項８記載の発明は、前記制御部は、前記第２の領域に表示する秘匿情報を、前記第１の領域に表示される秘匿する必要のない情報の表示方向と異なる向きに表示する制御を行う。
【００１５】
請求項９記載の発明は、前記制御部は、前記第２の領域に表示する秘匿情報の表示方向が、前記第１の領域に表示される秘匿する必要のない情報の表示方向と直交するように表示を制御する。
【００１６】
請求項１０記載の発明は、前記制御部は、前記第１の領域に表示される秘匿する必要のない情報の内容と関連する秘匿情報を前記第２の領域に表示する制御を行う。
【００１７】
請求項１１記載の発明は、前記制御部は、事象の発生を通知する情報を前記第１の領域に表示し、前記第１の領域に表示された前記事象の内容を前記第２の領域に表示する制御を行う。
【００１８】
請求項１２記載の制御プログラムの発明は、コンピュータを、請求項１〜請求項１１の何れか１項に記載のウェアラブル装置の制御部として機能させる。
【発明の効果】
【００１９】
請求項１、１２記載の発明によれば、情報の内容に関わらず、ユーザが指定した位置に情報を表示する場合と比較して、秘匿情報が意図せず他者に閲覧されてしまうことを抑制することができる、という効果を有する。
【００２０】
請求項２記載の発明によれば、ユーザに通知すべき情報が存在する場合であっても、ユーザがウェアラブル装置を腕に装着していない場合には情報を表示しないようにすることができる、という効果を有する。
【００２１】
請求項３記載の発明によれば、ウェアラブル装置の装着状況に関わらず、腕の外側に第１の領域を配置し、腕の内側に第２の領域を配置することができる、という効果を有する。
【００２２】
請求項４記載の発明によれば、腕の予め定められた場所で装着部材同士を嵌合させることで、腕の外側に第１の領域を配置し、腕の内側に第２の領域を配置することができる、という効果を有する。
【００２３】
請求項５記載の発明によれば、表示画面を押下することなく、第２の領域に情報を表示させることができる、という効果を有する。
【００２４】
請求項６記載の発明によれば、ウェアラブル装置の装着者における腕の移動度合いから、ウェアラブル装置の装着者が第２の領域を視認する視認動作を行ったことを検知することができる、という効果を有する。
【００２５】
請求項７記載の発明によれば、ウェアラブル装置の装着者の視線から、ウェアラブル装置の装着者が第２の領域を視認する視認動作を行ったことを検知することができる、という効果を有する。
【００２６】
請求項８記載の発明によれば、第１の領域に表示する情報の表示方向と、第２の領域に表示する情報の表示方向を同じにする場合と比較して、情報が読み取りやすくなる、という効果を有する。
【００２７】
請求項９記載の発明によれば、手のひら側を上にして腕を体の正面に対して直交するように伸ばしたときに、第１の領域に表示する情報の表示方向と、第２の領域に表示する情報の表示方向を同じにする場合と比較して、第２の領域の情報が読み取りやすくなる、という効果を有する。
【００２８】
請求項１０記載の発明によれば、第１の領域に秘匿情報を表示する場合と比較して、他者に秘匿情報が閲覧されてしまうことを抑制することができる、という効果を有する。
【００２９】
請求項１１記載の発明によれば、第１の領域に表示された情報を見て、第２の領域に情報の内容を表示させるか否か選択することができる、という効果を有する。
【図面の簡単な説明】
【００３０】
【図１】ウェアラブル装置の外観例を示す図である。
【図２】ウェアラブル装置における機能構成例を示す図である。
【図３】ペンダント型のウェアラブル装置の外観例を示す図である。
【図４】ペンダント型のウェアラブル装置の他の外観例を示す図である。
【図５】第１実施形態に係るウェアラブル装置における電気系統の要部構成例を示す図である。
【図６】第１実施形態に係る表示処理の流れの一例を示すフローチャートである。
【図７】表示画面における情報の表示位置の一例を示す図である。
【図８】表示画面における情報の表示領域と腕の位置の関係を示す図である。
【図９】腕の外側に表示される見出し情報の例を示す図である。
【図１０】腕の動作例を示した図である。
【図１１】腕の内側に表示される秘匿情報の例を示す図である。
【図１２】表示画面に表示される情報の表示方向の一例を示す図である。
【図１３】各々の表示領域に互いに関連のない情報を表示した例を示す図である。
【図１４】カメラを備えたウェアラブル装置の外観例を示す図である。
【図１５】第２実施形態に係るウェアラブル装置における電気系統の要部構成例を示す図である。
【図１６】第２実施形態に係る表示処理の流れの一例を示すフローチャートである。
【図１７】複数のカメラを備えたウェアラブル装置の外観例を示す図である。
【図１８】第２実施形態の変形例１に係るウェアラブル装置の外観例を示す図である。
【図１９】第２実施形態の変形例１に係る表示処理の流れの一例を示すフローチャートである。
【発明を実施するための形態】
【００３１】
以下、本実施の形態について図面を参照しながら説明する。なお、機能が同じ構成要素及び処理には全図面を通して同じ符合を付与し、重複する説明を省略する。
【００３２】
＜第１実施形態＞
図１は、本実施の形態に係るウェアラブル装置１０の外観例を示す図である。図１に示すように、本実施の形態に係るウェアラブル装置１０は、ユーザの腕に巻きつけて装着される、いわゆる腕時計型のウェアラブル装置１０である。本実施の形態では、ウェアラブル装置１０の装着者のことを「ユーザ」という。
【００３３】
ウェアラブル装置１０には、各種情報を表示する表示画面１２が設けられているが、ウェアラブル装置１０の表示画面１２には、一例としてフレキシブルディスプレイが用いられている。
【００３４】
フレキシブルディスプレイとは、例えば紙や布のように力を加えることで、丸めたり、折り曲げたりすることができる変形可能なディスプレイであり、例えばプラスチックフィルム基板上に有機ＥＬ(Electro Luminescence)を配置することで実現される。
【００３５】
したがって、表示画面１２にフレキシブルディスプレイが用いられているウェアラブル装置１０では全体が表示画面１２で構成され、表示画面１２を腕時計のベルトのように腕の周囲に沿って巻きつけることでユーザに装着する形態をとる。ユーザはウェアラブル装置１０を腕に装着する場合、例えばウェアラブル装置１０の対向する辺にそれぞれ設けられた留め具１８同士を互いに嵌合することで表示画面１２に力を加え、腕の周囲に沿って巻きつけた状態にする。留め具１８は、本実施の形態に係る装着部材の一例である。
【００３６】
一方、力を加えて腕の周囲に沿って巻きつけていない状態のウェアラブル装置１０は、図１に示すように板状の平面ディスプレイのような形状になっている。
【００３７】
図２は、ウェアラブル装置１０における機能構成例を示す図である。図２に示すように、ウェアラブル装置１０は、タッチパネル１１及び表示画面１２の各ユニットと、入力部１３、制御部１４、検知部１５、装着検知部１６、及び表示部１７の各機能部を備える。
【００３８】
入力部１３は、表示画面１２に重畳して設置されているタッチパネル１１から、ユーザによって押下された位置情報を受け付ける。
【００３９】
制御部１４は、入力部１３から位置情報を受け付けると、受け付けた位置情報と表示画面１２に表示されている情報の位置関係から、ウェアラブル装置１０に対して行われたユーザの指示を解析し、ユーザの指示に従った処理を実行する。
【００４０】
ユーザの指示は、タッチパネル１１の押下以外の方法によっても制御部１４に通知される。例えば検知部１５は、ウェアラブル装置１０の動きを検知し、ウェアラブル装置１０の動きに伴い計測された物理量を制御部１４に通知する。制御部１４は、検知部１５からウェアラブル装置１０の動きを表す物理量を受け付けると、受け付けた物理量からユーザの指示を解析する。
【００４１】
具体的には、検知部１５は、ウェアラブル装置１０が装着された腕の移動度合いを表す物理量を検知する。腕の移動度合いを表す物理量には、例えば移動方向、移動速度、及び移動加速度の他、腕の回転に伴う回転角度、角速度、及び角加速度が存在する。しかし、腕の移動度合いを表す物理量はこれらの物理量に限られず、上述した物理量の少なくとも１つを算出する演算式の入力値として用いられる物理量も、腕の移動度合いを表す物理量に含まれる。
【００４２】
ここでは一例として、検知部１５はウェアラブル装置１０に内蔵された動きセンサ８を用いて、腕の移動度合いを表す物理量を検知する例について説明するが、検知部１５は、ユーザによる表示画面１２の接触を伴う操作以外の方法であれば、どのような方法で腕の移動度合いを表す物理量を検知してもよい。
【００４３】
以降では、腕の移動に伴う移動方向、移動速度、及び移動加速度を総称して「移動量」といい、腕の回転に伴う回転角度、角速度、及び角加速度を総称して「回転量」という。腕の移動量と回転量の組み合わせによって腕の動きが表される。すなわち、腕の移動度合いは、腕の移動量と回転量の組み合わせによって表される。
【００４４】
また、動きセンサ８とは、例えば腕の移動量を計測する加速度センサと、腕の回転量を計測するジャイロセンサを含み、腕の移動度合いを計測するセンサである。
【００４５】
装着検知部１６は、ユーザの腕にウェアラブル装置１０が装着されているか否かを検知し、腕への装着状況を制御部１４に通知する。
【００４６】
制御部１４は、入力部１３から得られるユーザの指示、検知部１５から得られるウェアラブル装置１０の動作状況、及び装着検知部１６から得られるユーザの腕へのウェアラブル装置１０の装着状況の少なくとも１つに従って、ウェアラブル装置１０の処理状況に応じた情報を表示画面１２の指定した位置に表示するように、表示部１７に表示指示を通知する。
【００４７】
表示部１７は制御部１４から情報の表示指示を受け付けると、制御部１４によって指定された表示画面１２の位置に、指定された情報を表示する。
【００４８】
なお、上述したように、本実施の形態では表示画面１２にフレキシブルディスプレイが用いられているウェアラブル装置１０を例にして説明を行うが、これは一例であり、図２に示した機能構成を備えるウェアラブル装置１０であれば、必ずしも表示画面１２にフレキシブルディスプレイが用いられている必要はない。
【００４９】
例えば図３に示すようなウェアラブル装置１０も、本実施の形態に係るウェアラブル装置１０の一例に含まれる。
【００５０】
図３に示すウェアラブル装置１０は、ウェアラブル装置１０を腕に巻きつけるベルト１９に、それぞれ独立した２つの表示画面１２Ａ、１２Ｂが取り付けられたウェアラブル装置１０である。ベルト１９が腕の周囲に巻きつくように変形するため、表示画面１２Ａ、１２Ｂは必ずしもフレキシブルディスプレイである必要はない。したがって、表示画面１２Ａ、１２Ｂに力を加えても変形しないディスプレイが用いられたとしても、ユーザの腕に装着され、ウェアラブル装置１０として機能する。
【００５１】
このように、ユーザの腕に巻きつけるベルト１９に複数の表示画面１２が取り付けられた形態のウェアラブル装置１０を、「ペンダント型のウェアラブル装置１０」ということがある。ペンダント型のウェアラブル装置１０における表示画面１２の数は複数であればよいため、例えば図４に示すように、３つの表示画面１２Ａ、１２Ｂ、１２Ｃを備えたウェアラブル装置１０もペンダント型のウェアラブル装置１０に含まれる。
【００５２】
ペンダント型のウェアラブル装置１０では、例えば留め具１８をベルトに設けられた孔に貫通させることで、ウェアラブル装置１０を腕の周囲に沿って巻きつけた状態にするが、腕への装着方法に制約はない。例えば図１に示したウェアラブル装置１０と同様に、ベルト１９の両端にそれぞれ設けられた留め具１８同士を互いに嵌合して、ユーザの腕に装着してもよい。
【００５３】
ウェアラブル装置１０は、例えばコンピュータ２０を用いて構成される。図５は、ウェアラブル装置１０における電気系統の要部構成例を示す図である。
【００５４】
コンピュータ２０は、図２に示した本実施の形態に係るウェアラブル装置１０の各機能部を担うＣＰＵ(Central Processing Unit)２１、制御プログラムを記憶するＲＯＭ(Read Only Memory)２２、ＣＰＵ２１の一時的な作業領域として使用されるＲＡＭ(Random Access Memory)２３、不揮発性メモリ２４、及び入出力インターフェース(Ｉ／Ｏ)２５を備える。そして、ＣＰＵ２１、ＲＯＭ２２、ＲＡＭ２３、不揮発性メモリ２４、及びＩ／Ｏ２５がバス２６を介して各々接続されている。
【００５５】
不揮発性メモリ２４は、不揮発性メモリ２４に供給される電力が遮断されても、記憶した情報が維持される記憶装置の一例であり、例えば半導体メモリが用いられるが、ハードディスクを用いてもよい。不揮発性メモリ２４は、必ずしもコンピュータ２０に内蔵されている必要はなく、不揮発性メモリ２４としてメモリカード等のコンピュータ２０に着脱可能な記憶装置を用いてもよい。また、ＣＰＵ２１は不揮発性メモリ２４の代わりに、後述する通信ユニット４を介して接続される記憶装置に情報を記憶するようにしてもよい。
【００５６】
一方、Ｉ／Ｏ２５には、例えば通信ユニット４、入力ユニット５、表示ユニット６、接点センサ７、及び動きセンサ８が接続される。
【００５７】
通信ユニット４は図示しない通信回線と接続し、当該通信回線に接続される外部装置とデータ通信を行う通信プロトコルを備える。通信ユニット４は無線ＬＡＮ(Local Area Network)の他、約１００ｍ前後の見通し距離の通信に用いられるブルートゥース（登録商標）や約１０ｃｍ前後の近接距離の通信に用いられる近距離無線通信(Near Field Communication：ＮＦＣ)等に対応してもよい。
【００５８】
入力ユニット５は、ユーザからの指示を受け付けてＣＰＵ２１に通知する入力装置であり、例えばボタン及びタッチパネル等が用いられる。なお、ユーザを撮影するカメラや音声をウェアラブル装置１０に取り込むマイク等も入力ユニット５の一例であり、ウェアラブル装置１０の種類によってウェアラブル装置１０に備えられている入力ユニット５の種類も異なる。
【００５９】
表示ユニット６は、ＣＰＵ２１によって処理された情報を画像として表示する表示装置であり、例えば液晶ディスプレイ、又は有機ＥＬディスプレイ等が用いられる。
【００６０】
接点センサ７は、ウェアラブル装置１０の留め具１８同士が嵌合したか否かをオン及びオフの２値によってＣＰＵ２１に通知するセンサであり、例えば留め具１８同士が嵌合した場合にはオン、留め具１８同士が外された場合にはオフをＣＰＵ２１に通知する。
【００６１】
動きセンサ８は、加速度センサとジャイロセンサを含んでユーザの腕の動きを計測するセンサであり、計測された計測値はＣＰＵ２１に通知される。
【００６２】
なお、Ｉ／Ｏ２５に接続されるユニット及びセンサは、図５に示したユニット及びセンサに限定されない。例えば後述するように、接点センサ７の代わりにユーザの脈拍を検知する図示しない生体センサがＩ／Ｏ２５に接続されてもよい。
【００６３】
次に、図６を参照して、本実施の形態に係るウェアラブル装置１０の動作について説明する。
【００６４】
図６は、ウェアラブル装置１０の電源がオンに設定され、ウェアラブル装置１０が起動した場合に、ＣＰＵ２１によって実行される表示処理の流れの一例を示すフローチャートである。
【００６５】
表示処理を規定する制御プログラムは、例えばウェアラブル装置１０のＲＯＭ２２に予め記憶されている。ウェアラブル装置１０のＣＰＵ２１は、ＲＯＭ２２に記憶される制御プログラムを読み込み、表示処理を実行する。
【００６６】
既に説明したように、ここでは表示画面１２にフレキシブルディスプレイが用いられているウェアラブル装置１０について説明するが、ペンダント型のウェアラブル装置１０についても同様の処理が適用される。なお、ペンダント型のウェアラブル装置１０について、フレキシブルディスプレイを用いたウェアラブル装置１０と動作が異なる場合には、動作が異なる部分について説明を行う。
【００６７】
まず、ステップＳ１０において、ＣＰＵ２１は、ウェアラブル装置１０がユーザの腕に装着されているか否かを判定する。ウェアラブル装置１０がユーザの腕に装着されていない場合にはステップＳ１０の判定処理を繰り返し実行して、ウェアラブル装置１０の装着状況を監視する。
【００６８】
ウェアラブル装置１０がユーザの腕に装着されているか否かは、例えば留め具１８の嵌合状態によって判定する。ユーザはウェアラブル装置１０を腕に装着する場合、留め具１８同士を勘合する。ウェアラブル装置１０の留め具１８同士が嵌合された場合には、接点センサ７がオンになることから、ＣＰＵ２１は、接点センサ７からオンの通知を受けた場合にウェアラブル装置１０がユーザの腕に装着されたと判定する。
【００６９】
なお、ウェアラブル装置１０の腕への装着状況は接点センサ７による判定方法に限られない。例えば接点センサ７の代わりに、表示画面１２における情報の表示面と異なる他方の面、すなわちユーザの腕に接触する接触面に配置された、脈拍を検知する図示しない生体センサによってもウェアラブル装置１０の装着状況が判定される。ウェアラブル装置１０がユーザの腕に巻きつけられた場合、表示画面１２の接触面が腕に接触して生体センサで脈拍が検知される。したがって、ＣＰＵ２１は、生体センサで脈拍が検知された場合にウェアラブル装置１０がユーザの腕に装着されたと判定するようにしてもよい。
【００７０】
また、生体センサで脈拍以外の生体情報を計測するようにしてもよい。例えば生体センサは、血中の酸素飽和度や血圧のように、ウェアラブル装置１０が体に装着されなければ計測されないような生体情報を計測するものであってもよい。すなわち、ＣＰＵ２１は、生体センサで計測される生体情報の計測値が、ユーザがウェアラブル装置１０を体に装着した場合に得られる範囲の計測値である場合に、ウェアラブル装置１０がユーザの腕に装着されたと判定するようにしてもよい。
【００７１】
また、表示画面１２に図示しないシート状の圧力センサが配置されているウェアラブル装置１０の場合、ＣＰＵ２１は、圧力センサで予め定めた値以上の圧力が計測された場合に、ウェアラブル装置１０がユーザの腕に装着されたと判定するようにしてもよい。ウェアラブル装置１０の腕への装着の判定に用いられる予め定めた値は、例えば何れのユーザが腕の周囲に沿って表示画面１２を巻き付けた場合であっても計測される圧力値の最低値に設定される。当該最低値は、ウェアラブル装置１０の実機による実験やウェアラブル装置１０の設計仕様に基づくコンピュータシミュレーション等により予め求められ、例えば不揮発性メモリ２４に記憶されている。当然のことながら、圧力センサの代わりに歪センサを用いてもよい。
【００７２】
ステップＳ１０の判定処理でウェアラブル装置１０がユーザの腕に装着されていると判定された場合、ステップＳ２０に移行する。
【００７３】
ステップＳ２０において、ＣＰＵ２１は、何らかの事象の発生に伴ってユーザに通知される情報を検知したか否かを判定する。「事象の発生を通知する情報」とは、例えばメールの受信、ソーシャルネットワーキングサービス(Social Networking Service：ＳＮＳ)による情報の受信、及びリマインド通知等、ユーザから指示を受け付けなくても、発生を検知した場合にはウェアラブル装置１０が自律的に表示画面１２に表示した方が好ましい情報のことである。事象の発生を通知する情報には、例えばリマインド通知のようにウェアラブル装置１０内部で生成される情報の他、通信ユニット４を介して図示しない通信回線から受け付けた情報も含まれる。
【００７４】
事象の発生を通知する情報が検知されない場合にはステップＳ２０の判定処理を繰り返し実行して、事象の発生を通知する情報を監視する。一方、事象の発生を通知する情報を検知した場合にはステップＳ３０に移行する。
【００７５】
ステップＳ３０において、ＣＰＵ２１は、表示画面１２に事象の発生を通知する情報を表示する。事象の発生を通知する情報には発生した事象の内容までは含まれず、発生した事象の種類が含まれる。したがって、以降では、事象の発生を通知する情報を「見出し情報」ということにする。
【００７６】
図７は、表示画面１２における情報の表示位置の一例を示す図である。ステップＳ２０で検知した見出し情報は検知毎に表示位置が変わるわけではなく、見出し情報以外の他の情報も表示画面１２に表示されるように、表示画面１２の予め定められた範囲内に配置された表示領域１に表示される。見出し情報には情報の内容までは含まれないため、見出し情報はユーザ以外の他者に秘匿する必要のない情報である。したがって、ＣＰＵ２１は、他者から閲覧されてもよい腕の外側の位置に配置された表示領域１に見出し情報を表示する。
【００７７】
「腕の外側」とは、例えば腕を伸ばして手のひらを太ももにつけた状態で、他者から見える腕の範囲をいう。腕の外側であれば何れの位置に表示領域１を配置してもよいが、一例として図８に示すように、腕にウェアラブル装置１０を装着した状態で手の甲を真上から眺めた場合にユーザから見える表示画面１２の範囲に表示領域１が配置されるものとする。
【００７８】
表示画面１２のうち、腕の外側になる範囲は、ユーザがウェアラブル装置１０の留め具１８を腕の周囲に沿った方向のどの位置で嵌合するかによって変化するが、ユーザは留め具１８を嵌合する位置を決めている場合が多い。したがって、ＣＰＵ２１は、腕の外側を向く範囲として予め定められた位置に表示領域１を配置する。
【００７９】
表示画面１２において腕の外側を向く範囲は留め具１８の接続位置からの距離によって設定される。図７に示すように、ウェアラブル装置１０の腕の周囲方向に沿った距離Ｌ１を、留め具１８の接続位置から表示画面１２において腕の外側を向く範囲の開始位置とした場合、ＣＰＵ２１は、留め具１８の接続位置から距離Ｌ１離れた位置に表示領域１を配置する。これにより、腕の外側に表示領域１が配置される。
【００８０】
距離Ｌ１は、ウェアラブル装置１０を装着したユーザによって設定され、設定された距離Ｌ１は、例えば不揮発性メモリ２４の予め定めた領域に記憶される。なお、距離Ｌ１に従って配置された表示領域１の位置が腕の外側からずれている場合、ユーザは距離Ｌ１を調整することができ、ＣＰＵ２１は、調整された距離Ｌ１を新たな距離Ｌ１として不揮発性メモリ２４に記憶する。
【００８１】
表示領域１に表示される見出し情報は、発生した事象の種類毎に異なる。図９は、表示領域１に表示される見出し情報の例を示す図である。
【００８２】
図９（Ａ）は、予め設定した目的地までの経路に関して通知したい情報がある場合に表示される見出し情報の例である。表示領域１に目的地までの経路自体は表示されず、通知したい情報が経路に関する情報であることをユーザに想起させるアイコンが表示される。当該アイコンの例として、図９（Ａ）では方位磁石のアイコンが表示領域１に表示されている。
【００８３】
図９（Ｂ）は、メールを受信した場合に表示される見出し情報の例である。表示領域１にメールの内容は表示されず、受信したメールがあることをユーザに想起させるアイコンが表示される。当該アイコンの例として、図９（Ｂ）では錠とメールのアイコンが表示領域１に表示されている。なお、錠のアイコンはメール受信時には表示されず、後述するステップＳ４０で受信したメールに秘匿情報が含まれると判定された場合に表示される。
【００８４】
図９（Ｃ）は、ＳＮＳに投稿した画像やメッセージに対して、「いいね」の応答があった場合に表示される見出し情報の例である。表示領域１に「いいね」の応答を行った人を特定する内容は表示されず、通知したい情報がＳＮＳの応答に関する情報であることをユーザに想起させるアイコンが表示される。当該アイコンの例として、図９（Ｃ）ではハートマークのアイコンと、「いいね」の応答を行った人数を表す数字が表示領域１に表示されている。
【００８５】
図９（Ｄ）は、リアルタイムに文字や画像を用いてメッセージ交換を行うメッセンジャーにおいて、メッセージを受信した場合に表示される見出し情報の例である。表示領域１にメッセージの内容は表示されず、受信したメッセージがあることをユーザに想起させるアイコンが表示される。当該アイコンの例として、図９（Ｄ）では人の顔を示すアイコンが表示領域１に表示されている。
【００８６】
図９（Ｅ）は、ユーザが訪問先の目的地３１から予め定めた範囲内に近づいた場合に、訪問の目的等をリマインドするために表示される見出し情報の例を示す図である。表示領域１に例えば訪問先の会社名、建物名、担当者、及び訪問目的といった訪問の場所及び目的を特定する内容は表示されず、目的地３１に近づいたことをユーザに想起させるアイコンが表示される。当該アイコンの例として、図９（Ｅ）では例えば道だけが表示された地図上にユーザの現在地３０と目的地３１が表示領域１に表示されている。
【００８７】
なお、訪問に関するリマインドの見出し情報に必ずしも地図情報は必要なく、単にユーザが訪問先の目的地３１から予め定めた範囲内に近づいたことを知らせるアイコンであってもよい。
【００８８】
図９（Ｆ）は、ユーザが予め設定した予定の時間に現在時刻が近づいた場合に、予定をユーザにリマインドするために表示される見出し情報の例を示す図である。表示領域１に予定の内容は表示されず、予定の時間に近づいたことをユーザに想起させるアイコンが表示される。当該アイコンの例として、図９（Ｆ）では時計のアイコンと、予定開始までの残り時間を例えば分単位で示す数字が表示領域１に表示されている。
【００８９】
なお、ＣＰＵ２１は、表示領域１に見出し情報を表示した場合、Ｉ／Ｏ２５に接続された図示しないバイブレーターを振動させて、表示領域１に見出し情報を表示したことをユーザに通知するようにしてもよい。
【００９０】
ステップＳ４０において、ＣＰＵ２１は、見出し情報によって表される情報の内容が、秘匿情報であるか否かを判定する。「見出し情報によって表される情報の内容」とは、見出し情報によって発生が通知された事象の内容のことである。
【００９１】
また、「秘匿情報」とはユーザ以外の他者に覗き見られることが好ましくない情報であり、当該情報がユーザの許可なく他者に用いられた場合、ユーザが不利益を被るような情報のことである。秘匿情報には、例えば行動予定に関する情報、知り合いに関する情報、金銭に関する情報、趣味や嗜好に関する情報、及び病気や身体に関する情報といった、ユーザやユーザの家族等の身内に関する個人情報が含まれる。
【００９２】
ＣＰＵ２１は、例えば秘匿情報として予め登録した単語が見出し情報によって表される情報に含まれている場合には、情報の内容に秘匿情報が含まれていると判定する。秘匿情報として取り扱う単語はユーザによって登録、修正、及び削除が行われ、例えば不揮発性メモリ２４に記憶される。
【００９３】
なお、見出し情報によって表される情報の内容に秘匿情報として取り扱う単語が含まれない場合であっても、ＣＰＵ２１は、他の判定基準を組み合わせて秘匿情報かどうか判定するようにしてもよい。
【００９４】
例えば発生した事象がメールの受信、ＳＮＳの受信、及びメッセンジャーによるメッセージの受信の場合、ＣＰＵ２１は、メール、ＳＮＳ、及びメッセージの送信元がユーザによって予め登録された送信元であれば、受信内容を秘匿情報と判定する。また、見出し情報によって表される情報の内容に、電話番号の表示形式やメールアドレスの表示形式とは異なる無意味な英数字の羅列が含まれる場合には、英数字の羅列がパスワードを表していることが考えられるため、ＣＰＵ２１は、英数字の羅列がユーザによって登録されていなくとも秘匿情報であると判定する。このようにＣＰＵ２１が情報の文脈を解析して、情報に秘匿情報が含まれているか否か自律的に判定する手法には、例えば形態素解析等、公知の文脈解析手法が適用される。
【００９５】
見出し情報によって表される情報の内容が秘匿情報である場合には、ステップＳ５０に移行する。なお、見出し情報によって表される情報の内容が秘匿情報である場合には、Ｉ／Ｏ２５に接続された図示しないバイブレーターを振動させて、見出し情報に関連した秘匿情報が存在することをユーザに通知するようにしてもよい。
【００９６】
ステップＳ５０において、ＣＰＵ２１は、表示画面１２の表示領域１とは異なる領域で、腕の内側の位置に配置された表示領域２を視認する視認動作を検知したか否かを判定する。
【００９７】
ここで「腕の内側」とは、例えば腕を伸ばして手のひらを太ももにつけた状態で、他者からは見えない腕の範囲をいう。腕の内側であれば何れの位置に表示領域２を配置してもよいが、一例として図８に示したように、腕にウェアラブル装置１０を装着した状態で手のひらを上に向け、腕を体の正面と交差するように伸ばした場合に、ユーザから見える表示画面１２の範囲に表示領域２が配置されるものとする。
【００９８】
具体的には、図７に示したように、ウェアラブル装置１０の腕の周囲方向に沿った距離Ｌ２を、留め具１８の接続位置から表示画面１２において腕の内側を向く範囲の開始位置とした場合、ＣＰＵ２１は、留め具１８の接続位置から距離Ｌ２離れた位置に表示領域２を配置する。これにより、腕の内側に表示領域２が配置される。
【００９９】
距離Ｌ２は、ウェアラブル装置１０を装着したユーザによって設定され、設定された距離Ｌ２は、例えば不揮発性メモリ２４の予め定めた領域に記憶される。なお、距離Ｌ２に従って配置された表示領域２の位置が腕の内側からずれている場合、ユーザは距離Ｌ２の変更指示を、入力ユニット５を介してウェアラブル装置１０に通知する。ＣＰＵ２１は変更指示を受け付けると、変更された距離Ｌ２を新たな距離Ｌ２として不揮発性メモリ２４に記憶する。
【０１００】
なお、表示領域１及び表示領域２を配置する位置の設定方法はこれに限られない。例えばウェアラブル装置１０の表示画面１２の接触面に対して腕の周囲方向に沿って取り付けられた図示しない生体センサを用いて腕の外側の位置と腕の内側の位置を検知して、表示画面１２に表示領域１及び表示領域２を配置してもよい。
【０１０１】
腕の何れの位置で留め具１８を嵌合するかはユーザによっておおよその位置が決められている場合が多いが、毎回腕の同じ位置で留め具１８が装着されるとは限らない。すなわち、腕に対する表示領域１及び表示領域２の位置は、腕へのウェアラブル装置１０の装着毎に変動する傾向がある。したがって、Ｉ／Ｏ２５に生体センサが接続されているウェアラブル装置１０の場合、ＣＰＵ２１は、ユーザが腕にウェアラブル装置１０を装着する毎に生体センサを用いて表示画面１２における腕の外側の位置と腕の内側の位置を検知し、表示画面１２に表示領域１と表示領域２を配置する。
【０１０２】
手首周辺における腕の内側の皮下には橈骨動脈が通っているため、腕の周囲方向に沿った他の場所よりも強い脈拍が検出される。生体センサは腕の周囲方向に沿った各場所での脈拍の強さを検出し、各々の場所の脈拍の強さを、場所を表す識別情報と共にＣＰＵ２１に通知する。ＣＰＵ２１は生体センサから脈拍の強さと場所を表す識別情報を受け付けると、受け付けた脈拍の強さの中から最も強い脈拍を取得し、取得した脈拍と対応付けられている場所を表す識別情報から、表示画面１２において最も強い脈拍が検出された検出位置を特定する。ＣＰＵ２１は、最も強い脈拍が検出された位置に対応する表示画面１２の範囲に表示領域２を配置し、ユーザの腕を挟んで表示領域２と相対することになる表示画面１２の範囲に表示領域１を配置する。
【０１０３】
これにより、腕の外側に表示領域１が配置され、腕の内側に表示領域２が配置されることになる。
【０１０４】
秘匿情報は表示画面１２における腕の内側の領域に表示された方が、腕の外側に表示されるよりも他者の視界に入りにくい。したがって、秘匿情報は表示画面１２における腕の内側の領域に表示させることが好ましい。しかしながら、ユーザの指示がない状況で秘匿情報を表示領域２に表示した場合、ユーザが気づかないうちに表示領域２に秘匿情報が表示されることになるため、いくら秘匿情報が表示される場所が腕の内側であっとしても、腕の向き等によっては秘匿情報が他者の視界に入ることも考えられる。
【０１０５】
したがって、ＣＰＵ２１は、表示領域１に見出し情報を表示した後、ユーザが腕の内側に配置された表示領域２を視認する視認動作を検知することで、ユーザが秘匿情報の表示を指示したと判定する。
【０１０６】
図１０は、ユーザが表示領域１から表示領域２を視認するための腕の動作例を示した図である。ユーザは表示領域２を視認するため、図１０に示すように手のひらを上に向け、ウェアラブル装置１０を装着した腕を体の正面と交差するように伸ばして表示領域２が視界に入るようにする。
【０１０７】
したがって、ＣＰＵ２１は、例えば腕の移動量及び回転量からユーザが視認動作を行ったか判定すればよい。ＣＰＵ２１は、動きセンサ８で計測された腕の移動量及び腕の回転量が、ユーザが手のひらを上に向け、ウェアラブル装置１０を装着した腕を体の正面と交差するように伸ばした場合に計測される範囲（視認動作範囲）内の値であれば、ユーザが視認動作を行ったと判定する。腕の移動量及び腕の回転量に対する視認動作範囲は、ウェアラブル装置１０の実機による実験やウェアラブル装置１０の設計仕様に基づくコンピュータシミュレーション等により予め求められ、例えば不揮発性メモリ２４に記憶されている。なお、ＣＰＵ２１は、ユーザから視認動作範囲の変更指示を受け付け、視認動作範囲を変更してもよい。
【０１０８】
ユーザが表示領域２を視認する視認動作を行ったと判定された場合には、ステップＳ６０に移行する。
【０１０９】
ステップＳ６０において、ＣＰＵ２１は表示ユニット６を制御して、ステップＳ３０で表示領域１に表示した見出し情報と関連する秘匿情報を表示領域２に表示する。
【０１１０】
図１１は、表示領域２に表示される秘匿情報の例を示す図である。
【０１１１】
図１１（Ａ）は、図９（Ａ）に示した見出し情報に対する秘匿情報の例であり、目的地までの経路が表示される。目的地までの経路はユーザの行動予定に関する情報の一例であり、ユーザが立ち寄る場所からユーザの趣味や嗜好、及びつながりのある会社等が特定される恐れがあるため、秘匿情報として取り扱われる。
【０１１２】
図１１（Ｂ）は、図９（Ｂ）に示した見出し情報に対する秘匿情報の例であり、例えばパスワード等の個人情報を含むメールの内容が表示される。パスワード等の個人情報が他者に漏洩してしまうとユーザに不利益がもたらされる恐れがあるため、秘匿情報として取り扱われる。
【０１１３】
図１１（Ｃ）は、図９（Ｃ）に示した見出し情報に対する秘匿情報の例であり、ユーザがＳＮＳに投稿した情報に対して「いいね」の応答を行った人の名前が表示される。「いいね」の応答を行った人の情報は知り合いに関する情報の一例であり、ユーザとつながりのある人物が特定される恐れがあるため、秘匿情報として取り扱われる。
【０１１４】
図１１（Ｄ）は、図９（Ｄ）に示した見出し情報に対する秘匿情報の例であり、メッセンジャーを用いて受信したメッセージの内容が表示される。メッセンジャーのメッセージから、例えばユーザがいつどこで誰と会うかといった行動予定が特定される恐れがあるため、秘匿情報として取り扱われる。
【０１１５】
図１１（Ｅ）は、図９（Ｅ）に示した見出し情報に対する秘匿情報の例であり、目的等が記載された訪問の内容が表示される。訪問の内容からもユーザがどのような目的のためにいつどこで誰と会うかが特定される恐れがあるため、秘匿情報として取り扱われる。
【０１１６】
図１１（Ｆ）は、図９（Ｆ）に示した見出し情報に対する秘匿情報の例であり、予定の内容が表示される。予定の内容からもユーザがいつどこで誰と会うかが特定される恐れがあるため、秘匿情報として取り扱われる。
【０１１７】
上述したように、ユーザは表示領域２を視認する場合、無理な体勢をとることなく腕の内側を見ることができるという理由から、図１０に示したように手のひらを上に向け、ウェアラブル装置１０を装着した腕を体の正面と交差するように伸ばすことが多い。一方、ユーザは表示領域１を視認する場合、図１０に示したように手の甲を上に向け、ウェアラブル装置１０を装着した腕を体の正面で左右方向に沿って伸ばした方が、腕の外側を自然な体勢で見ることができる。
【０１１８】
すなわち、ユーザは表示領域１を視認する場合と、表示領域２を視認する場合とで、異なる体勢をとることになる。したがって、ＣＰＵ２１は表示領域２に表示する秘匿情報の表示方向を、表示領域１に表示した見出し情報の表示方向とは異なる向きに表示する。ここで「秘匿情報の表示方向」とは、秘匿情報の上下方向に沿った方向であり、「秘匿情報の上下方向」とは秘匿情報に含まれる文字や図の上下方向に沿った方向である。また、「見出し情報の表示方向」とは、見出し情報の上下方向に沿った方向であり、「見出し情報の上下方向」とは見出し情報に含まれる文字や図の上下方向に沿った方向である。
【０１１９】
図１２は、表示画面１２に表示される情報の表示方向の一例を示す図である。
【０１２０】
図１２に示すように、表示領域１では、ユーザが手の甲を上に向け、ウェアラブル装置１０を装着した腕を体の正面で左右方向に沿って伸ばした状態で見出し情報の上下方向とユーザの視界の上下方向が同じになるように、ＣＰＵ２１が表示ユニット６を制御して、ウェアラブル装置１０の腕の周囲方向に見出し情報の上下方向を合わせて表示させる。
【０１２１】
また、表示領域２では、ユーザが手のひらを上に向け、ウェアラブル装置１０を装着した腕を体の正面と交差するように伸ばした状態で秘匿情報の上下方向とユーザの視界の上下方向が同じになるように、ＣＰＵ２１が表示ユニット６を制御して、ウェアラブル装置１０の腕の周囲方向と直交する方向に秘匿情報の上下方向を合わせて表示させる。
【０１２２】
すなわち、表示画面１２では、表示領域２に表示される秘匿情報の表示方向が、表示領域１に表示される見出し情報の表示方向と直交するように表示される。
【０１２３】
なお、ＣＰＵ２１は、必ずしも見出し情報の表示方向と秘匿情報の表示方向を直交させて表示画面１２に表示する必要はなく、腕と体の正面との成す角度に応じて、秘匿情報の表示方向を調整するようにしてもよい。例えば、腕と体の正面との成す角度が４５度の場合、見出し情報の表示方向と秘匿情報の表示方向との成す角度を４５度にすると、秘匿情報の上下方向とユーザの視界の上下方向が同じ方向を向く。したがって、見出し情報の表示方向に対して秘匿情報の表示方向を直交させた場合と比較して、秘匿情報が視認しやすくなる。そこで、腕と体の正面との成す角度が４５度の場合、ＣＰＵ２１は、見出し情報の表示方向と秘匿情報の表示方向との成す角度が４５度になるように、表示領域２における秘匿情報の表示方向を調整する。
【０１２４】
一方、ステップＳ５０の判定処理で、ユーザが表示領域２を視認する視認動作を行っていないと判定された場合にはステップＳ７０に移行する。
【０１２５】
ユーザによっては秘匿情報であっても、例えば周囲に人がいないので腕の外側に向いた表示領域１に表示させて確認したいという人もいる。したがって、ステップＳ７０においてＣＰＵ２１は、入力ユニット５の一例であるタッチパネルを介して、ユーザが表示領域１を押下する操作を検知したか否かを判定する。
【０１２６】
表示領域１を押下する操作を検知した場合、表示領域１で秘匿情報を確認したいというユーザの意思表示と捉えられるため、ＣＰＵ２１はステップＳ９０に移行し、ステップＳ９０において表示領域１に秘匿情報を表示する。
【０１２７】
一方、表示領域１を押下する操作を検知しなかった場合にはステップＳ５０に移行する。すなわち、ＣＰＵ２１は、ユーザが表示領域２を視認する視認動作か、表示領域１を押下する操作を行うまで、ステップＳ５０とＳ７０の判定処理を繰り返し実行する。この判定処理の繰り返しにおいて、ユーザが表示領域２を視認する視認動作を検知した場合には表示領域２に秘匿情報を表示し、ユーザが表示領域１を押下する操作を検知した場合には表示領域１に秘匿情報を表示することになる。
【０１２８】
また、ステップＳ４０の判定処理で表示領域１に表示した見出し情報によって表される情報の内容が、秘匿情報ではないと判定された場合には、ユーザの指示なしに見出し情報によって表される情報の内容を表示したとしても、ユーザが不利益を被ることはない。したがって、ステップＳ８０に移行し、ＣＰＵ２１は、予め定めた規定時間が経過したか否かを判定する。規定時間を経過していない場合にはステップＳ８０の判定処理を繰り返し実行して規定時間の経過を監視する。一方、規定時間を経過した場合にはステップＳ９０に移行する。
【０１２９】
ＣＰＵ２１は、ステップＳ８０からＳ９０に移行してきた場合、ステップＳ９０において、表示領域１に見出し情報によって表される情報の内容を表示する。すなわち、規定時間が経過するまでステップＳ９０に移行しないようにすることで、規定時間の間、見出し情報が表示領域１に表示され続け、その後、見出し情報によって表される情報の内容に表示が切り替わるようにする。これにより、ユーザが見出し情報を見て、どういった種類の事象が発生したのか確認する時間が確保される。
【０１３０】
以上により、図６に示した表示処理を終了する。なお、ウェアラブル装置１０に対して秘匿情報の表示を中止する予め定めた操作が行われた場合、ＣＰＵ２１は、表示画面１２に秘匿情報を表示することなく図６に示した表示処理を終了してもよい。ＣＰＵ２１は、秘匿情報の表示指示をユーザから受け付けた場合に、表示を中止した秘匿情報を指示された表示画面１２の領域に表示する。ユーザは表示画面１２に表示される情報が秘匿情報であることを予め知っていることから、他者の視界に入らない表示画面１２の領域に秘匿情報を表示させればよい。
【０１３１】
ウェアラブル装置１０が図３に示したペンダント型のウェアラブル装置１０である場合、表示領域１を表示画面１２Ａ、表示領域２を表示画面１２Ｂにそれぞれ対応付けることで、図６に示した表示処理が行われる。すなわち、表示画面１２Ａは腕の外側に配置され、表示画面１２Ｂは腕の内側に配置される。
【０１３２】
ただし、フレキシブルディスプレイを用いたウェアラブル装置１０では、ＣＰＵ２１によって表示領域１及び表示領域２の位置が設定されるが、ペンダント型のウェアラブル装置１０の場合、ユーザが表示画面１２Ａ及び表示画面１２Ｂをベルト１９上で動かして、表示領域１及び表示領域２をそれぞれ腕の外側及び腕の内側に設定することになる。
【０１３３】
上述した表示処理では、表示領域１に表示した情報と関連する情報を表示領域２に表示したが、表示領域１に表示した情報と関連しない情報を表示領域２に表示するようにしてもよい。
【０１３４】
例えば表示領域１に日時情報を表示したまま、表示領域２に秘匿情報の内容を表示してもよい。
【０１３５】
具体的には、特定のサービスを提供するウェブページにログインして所望のサービスを利用する場合、予め登録したパスワードの入力が求められる。しかしながら、所望するサービスが日常的に利用するサービスでない場合、ユーザはパスワードを忘れていることがある。そのため、ウェアラブル装置１０の不揮発性メモリ２４に予めパスワードを記憶させておき、必要な時に表示画面１２に表示させてウェブページに入力する使い方が行われる。このような場合には、ユーザの指示に従って、表示領域２にパスワードを表示させることになる。
【０１３６】
なお、ウェアラブル装置１０ではパスワードだけでなく、ユーザの指示に応じて電話番号、住所、メールアドレス、及びユーザＩＤといった秘匿情報を表示領域２に表示させてもよい。
【０１３７】
更に、表示領域１にウェブページが表示されている状況で、ユーザが表示領域２を視認する視認動作を行った場合、ＣＰＵ２１は、表示領域１に表示されているウェブページにログインするためのパスワードを表示領域２に表示させてもよい。表示領域２に表示するパスワードは、予めウェブページのＵＲＬ(Uniform Resource Locator)とパスワードを対応させて不揮発性メモリ２４に記憶したテーブルを参照することで取得される。
【０１３８】
また、ウェアラブル装置１０に備えられている生体センサを利用して、ユーザが表示領域２を視認する視認動作を行った場合、表示領域１に表示されている情報とは関係なく、ユーザが予め設定しておいた生体情報（例えば心拍数や血圧）を表示領域２に表示してもよい。
【０１３９】
図１３は、表示領域１に日時情報を表示し、表示領域２に心拍数を表示した一例を示す図である。
【０１４０】
このように本実施の形態に係るウェアラブル装置１０によれば、表示領域１に秘匿する必要のない情報を表示した後に、ユーザが表示領域２を視認する視認動作を検知した場合、表示領域２に秘匿情報を表示する。すなわち、本実施の形態に係るウェアラブル装置１０では、表示画面１２の腕の内側における領域に秘匿情報が表示される。
【０１４１】
＜第２実施形態＞
第１実施形態に係るウェアラブル装置１０では、ユーザに通知する情報を検知したタイミングで表示領域１に見出し情報を表示すると共に、表示領域２を視認する視認動作を検知したタイミングで表示領域２に秘匿情報を表示した。しかしながら、表示画面１２に情報を表示するタイミングは上記の例に限られない。
【０１４２】
第２実施形態では、ユーザに通知する情報が他の表示タイミングに比べて他者に覗き見られる可能性が低いと考えられる場合に、表示画面１２に情報を表示するウェアラブル装置１０Ａについて説明する。
【０１４３】
ウェアラブル装置１０Ａの機能構成例は、図２に示した第１実施形態に係るウェアラブル装置１０の機能構成例と同じであるが、図１４に示すように、表示画面１２における表示領域１と隣接するウェアラブル装置１０Ａの枠には、カメラ９が埋め込まれている。カメラ９のレンズは、表示画面１２における情報の表示面と同じ側の面に取り付けられており、表示領域１を視認するユーザの顔を撮影する。カメラ９は、本実施の形態に係る撮影装置の一例である。
【０１４４】
図１５は、ウェアラブル装置１０Ａにおける電気系統の要部構成例を示す図である。図１５に示す電気系統の要部構成例が図５に示したウェアラブル装置１０における電気系統の要部構成例と異なる点は、Ｉ／Ｏ２５にカメラ９が接続された点であり、その他の構成はウェアラブル装置１０と同じである。
【０１４５】
次に、図１６を参照して、本実施の形態に係るウェアラブル装置１０Ａの動作について説明する。
【０１４６】
図１６は、ウェアラブル装置１０Ａの電源がオンに設定され、ウェアラブル装置１０Ａが起動した場合に、ＣＰＵ２１によって実行される表示処理の流れの一例を示すフローチャートである。
【０１４７】
表示処理を規定する制御プログラムは、例えばウェアラブル装置１０ＡのＲＯＭ２２に予め記憶されている。ウェアラブル装置１０ＡのＣＰＵ２１は、ＲＯＭ２２に記憶される制御プログラムを読み込み、表示処理を実行する。
【０１４８】
ここでは表示画面１２にフレキシブルディスプレイが用いられているウェアラブル装置１０Ａについて説明するが、ペンダント型のウェアラブル装置１０Ａについても同様の処理が適用される。
【０１４９】
図１６に示すウェアラブル装置１０Ａの表示処理が、図６に示したウェアラブル装置１０の表示処理と異なる点は、ステップＳ２２、Ｓ２４、及びＳ２６が追加された点であり、その他の処理は図６の表示処理と同じである。
【０１５０】
ステップＳ２０で事象の発生を通知する情報を検知した場合にステップＳ２２が実行される。
【０１５１】
ステップＳ２２において、ＣＰＵ２１はカメラ９を制御して画像を撮影し、撮影した画像をＲＡＭ２３に記憶する。撮影する画像は動画であっても静止画であってもよいが、ここでは一例として静止画を撮影する例について説明する。
【０１５２】
ステップＳ２４において、ＣＰＵ２１は、ステップＳ２２で撮影した画像にユーザの顔が含まれているか否かを判定する。画像にユーザの顔が含まれているか否かの判定は、公知の顔認証技術やパターンマッチングを用いて行われる。一例として、ユーザの顔を撮影した基準画像を予め不揮発性メモリ２４に記憶しておく。その上で、ステップＳ２２で撮影した画像から物体の特徴量を抽出し、抽出した特徴量と基準画像に含まれるユーザの顔の特徴量の差分が予め定めた範囲内に収まる場合には、ステップＳ２２で撮影した画像にユーザの顔が含まれていると判定すればよい。
【０１５３】
ステップＳ２２で撮影した画像にユーザの顔が含まれていない場合にはステップＳ２２に移行して、再度画像を撮影する。一方、ステップＳ２２で撮影した画像にユーザの顔が含まれている場合には、ステップＳ２６に移行する。
【０１５４】
ステップＳ２６において、ＣＰＵ２１は、ステップＳ２２で撮影した画像にユーザ以外の他者の顔が含まれているか否かを判定する。ステップＳ２２で撮影した画像にユーザ以外の他者の顔が含まれているか否かの判定は、ステップＳ２４と同様に、公知の顔認証技術やパターンマッチングを用いて行われる。具体的には、例えば公知の顔認証技術を用いて、ステップＳ２２で撮影した画像から人物の顔を抽出し、複数の顔が抽出された場合には、ユーザ以外の他者の顔が含まれていると判定すればよい。
【０１５５】
ステップＳ２２で撮影した画像にユーザ以外の他者の顔が含まれている場合には、ステップＳ２２に移行して、再度画像を撮影する。一方、ステップＳ２２で撮影した画像にユーザ以外の他者の顔が含まれていない場合には、ステップＳ３０に移行して、表示領域１に見出し情報を表示する。
【０１５６】
すなわち、カメラ９で撮影した画像にユーザの顔が含まれない場合には、表示領域１がユーザの方を向いていないことを意味する。この状態で表示領域１に見出し情報を表示した場合、秘匿情報を含んでいない見出し情報であるとしても他者に覗き見られる恐れがあるため、ウェアラブル装置１０Ａは念のため表示領域１に見出し情報を表示しないようにする。
【０１５７】
また、カメラ９で撮影した画像にユーザの顔が含まれる場合であっても、例えばユーザの後ろに他者がいるような状況では、表示領域１に表示した見出し情報が他者に覗き見られる恐れがある。したがって、ウェアラブル装置１０Ａは、カメラ９で撮影した画像にユーザ以外の他者の顔が含まれる場合には、表示領域１に見出し情報を表示しないようにする。
【０１５８】
以降、図６で説明したステップＳ４０〜Ｓ９０の処理を行い、見出し情報に関連した秘匿情報を表示領域２に表示して図１６に示した表示処理を終了する。
【０１５９】
ここでは一例として、表示領域１に見出し情報を表示するタイミングの制御に画像を用いたが、表示領域２に秘匿情報を表示するタイミングの制御に画像を用いてもよい。
【０１６０】
図１７は、画像を用いて表示領域２に秘匿情報を表示するタイミングを制御する表示処理に用いられるウェアラブル装置１０Ａの例を示した図である。
【０１６１】
図１７に示したウェアラブル装置１０Ａの表示画面１２における表示領域１と隣接する枠には、図１４に示したウェアラブル装置１０Ａのカメラ９に相当するカメラ９Ａが埋め込まれ、表示領域２と隣接する枠にはカメラ９Ｂが埋め込まれている。なお、カメラ９Ｂのレンズはカメラ９Ａと同じく、表示画面１２における情報の表示面と同じ側の面に取り付けられている。
【０１６２】
図１７に示したウェアラブル装置１０Ａを用いて図１６に示した表示処理を行う場合、ステップＳ５０とステップＳ６０の間で、カメラ９Ｂで撮影した画像を用いてステップＳ２２〜Ｓ２６と同じ処理を行う。
【０１６３】
具体的には、ステップＳ５０で表示領域２を視認する視認動作を検知したと判定された後、ＣＰＵ２１はカメラ９Ｂを制御して画像を撮影し、撮影した画像にユーザの目を含む顔が含まれているか否かを判定する。
【０１６４】
そして、ＣＰＵ２１は、公知の視線検知技術を用いて、ユーザの視線が表示領域２に向かっているか否かを判定する。ユーザの視線が表示領域２に向かっているということは、ユーザが表示領域２を視認しているということになる。したがって、腕の移動量及び回転量による視認動作の確認だけでなく、画像からもユーザが視認動作を行ったことが確認される。
【０１６５】
更に、ＣＰＵ２１は、カメラ９Ｂで撮影した画像にユーザ以外の他者の顔が含まれているか否かを判定し、ユーザ以外の他者の顔が含まれていなければステップＳ６０に移行して、見出し情報に関連した秘匿情報を表示領域２に表示する。
【０１６６】
一方、カメラ９Ｂで撮影した画像に表示領域２を視認するユーザの顔が含まれていない場合、又は、カメラ９Ｂで撮影した画像にユーザ以外の他者の顔が含まれている場合には、画像に表示領域２を視認するユーザの顔が含まれ、かつ、ユーザ以外の他者の顔が含まれなくなるまでカメラ９Ｂで画像を撮影し、ユーザ及び他者の状況を監視する。
【０１６７】
ここでは、腕の移動量及び回転量による表示領域２の視認動作の検知に加え、ユーザの視線からも視認動作を検知する例について説明したが、ユーザの視線だけから視認動作の有無を検知するようにしてもよい。
【０１６８】
ウェアラブル装置１０Ａが図３に示したようなペンダント型のウェアラブル装置１０Ａの場合、表示画面１２Ａの枠にカメラ９Ａを埋め込み、表示画面１２Ｂの枠にカメラ９Ｂを埋め込んで、本実施形態で説明した表示処理を実行すればよい。
【０１６９】
このように本実施の形態に係るウェアラブル装置１０Ａによれば、ユーザだけが表示領域１及び表示領域２を視認しているタイミングで、表示領域１及び表示領域２に情報を表示する。したがって、画像を用いてユーザ及び他者の行動を確認することなく表示画面１２に情報を表示する場合と比較して、表示画面１２に表示される情報の秘匿性が向上する。
【０１７０】
＜第２実施形態の変形例１＞
上述したウェアラブル装置１０Ａでは、ユーザが表示領域２を視認する視認動作を検知し、表示領域２と隣接して設けられたカメラ９Ｂにユーザの顔だけが含まれている場合に、秘匿情報を表示領域２に表示した。
【０１７１】
ここでは、秘匿情報を表示する領域を特定の領域に限定せずに、ユーザが視認している表示画面１２上の領域に秘匿情報を表示するウェアラブル装置１０Ａについて説明する。
【０１７２】
図１８は、本変形例におけるウェアラブル装置１０Ａの外観例を示す図である。ウェアラブル装置１０Ａの表示画面１２は複数の領域３Ａ〜３Ｅに分割され、各々の領域３Ａ〜３Ｅと隣接するウェアラブル装置１０Ａの枠には、それぞれカメラ９Ａ〜９Ｅが埋め込まれている。なお、カメラ９Ａ〜９Ｅのレンズは、表示画面１２における情報の表示面と同じ側の面に取り付けられている。以降では、カメラ９Ａ〜９Ｅをまとめて「カメラ９」と称し、複数の領域３Ａ〜３Ｅをまとめて「領域３」と称することにする。
【０１７３】
表示画面１２における領域の分割数は一例であり、領域の分割数に制約はない。領域の分割数に合わせてウェアラブル装置１０Ａに設けられるカメラ９の数も増減する。
【０１７４】
図１９は、ウェアラブル装置１０Ａの電源がオンに設定され、ウェアラブル装置１０Ａが起動した場合に、ＣＰＵ２１によって実行される表示処理の流れの一例を示すフローチャートである。
【０１７５】
ここでは表示画面１２にフレキシブルディスプレイが用いられているウェアラブル装置１０Ａについて説明するが、ペンダント型のウェアラブル装置１０Ａについても同様の処理が適用される。
【０１７６】
図１９に示すウェアラブル装置１０Ａの表示処理が、図１６に示したウェアラブル装置１０Ａの表示処理と異なる点は、ステップＳ２２、Ｓ２４、Ｓ２６、Ｓ３０、Ｓ５０、Ｓ６０、Ｓ７０、及びＳ９０がそれぞれステップＳ２２Ａ、Ｓ２４Ａ、Ｓ２６Ａ、Ｓ３０Ａ、Ｓ５０Ａ、Ｓ６０Ａ、Ｓ７０Ａ、及びＳ９０Ａに置き換えられた点であり、その他の処理は図１６の表示処理と同じである。
【０１７７】
ステップＳ２２Ａにおいて、ＣＰＵ２１は、ウェアラブル装置１０Ａに設けられている全てのカメラ９Ａ〜９Ｅで画像を撮影するように制御し、撮影した各々の画像をカメラ９Ａ〜９Ｅと対応付けてＲＡＭ２３に記憶する。
【０１７８】
ステップＳ２４Ａにおいて、ＣＰＵ２１は、ステップＳ２２Ａで撮影した画像のうち、ユーザの顔が含まれる画像が存在するか否かを判定する。何れの画像にもユーザの顔が含まれていない場合にはステップＳ２２Ａに移行し、カメラ９Ａ〜９Ｅの各々で再度画像を撮影する。
【０１７９】
一方、ステップＳ２２Ａで撮影した画像の何れかにユーザの目を含む顔が含まれている場合、ステップＳ２６Ａに移行する。
【０１８０】
ステップＳ２６Ａにおいて、ＣＰＵ２１は、ユーザの目を含む顔が含まれている画像（以降、「ユーザ画像」という）に、ユーザ以外の他者の顔が含まれているか否かを判定する。ユーザ画像にユーザ以外の他者の顔が含まれている場合にはステップＳ２２Ａに移行し、カメラ９Ａ〜９Ｅの各々で再度画像を撮影する。
【０１８１】
一方、ユーザ画像にユーザ以外の他者の顔が含まれていない場合、ステップＳ３０Ａに移行する。
【０１８２】
なお、複数の画像にユーザの目を含む顔が含まれる場合には、例えば画像に含まれるユーザの顔の面積が最も大きい画像をユーザ画像として選択すればよい。
【０１８３】
ステップＳ３０Ａにおいて、ＣＰＵ２１は、ユーザ画像を撮影したカメラ９に隣接した領域３に、検知した事象の見出し情報を表示する。
【０１８４】
すなわち、ウェアラブル装置１０Ａは、必ずしも腕の外側に配置された表示領域１に見出し情報を表示するのではなく、画像によりユーザが視認していると確認された領域３に見出し情報を表示する。
【０１８５】
そして、ステップＳ４０Ａで見出し情報によって表される情報の内容が秘匿情報であると判定された場合、ステップＳ５０Ａにおいて、ＣＰＵ２１は、見出し情報を表示した領域３（移行、「見出し領域３」という）と異なる領域３を視認する視認動作を検知したか否かを判定する。
【０１８６】
具体的には、動きセンサ８で規定値以上の腕の移動量及び腕の回転量が検知された場合に、ＣＰＵ２１は、ユーザが見出し領域３と異なる領域３を視認する視認動作を行ったと検知する。規定値は、ユーザが見出し領域３と異なる領域３を視認した場合に動きセンサ８で計測される腕の移動量及び腕の回転量の最低値に設定され、例えば不揮発性メモリ２４に記憶されている。
【０１８７】
見出し領域３と異なる領域３を視認する視認動作が検知された場合には、ステップＳ６０Ａに移行する。
【０１８８】
ステップＳ６０Ａにおいて、ＣＰＵ２１は、見出し情報に関連した秘匿情報をユーザが視認した領域３に表示する。
【０１８９】
ＣＰＵ２１は、動きセンサ８で計測された腕の移動量及び腕の回転量から、見出し領域３からの腕の移動度合いを算出し、腕の移動後にユーザが視認している領域３を推定する。
【０１９０】
すなわち、ウェアラブル装置１０Ａは、必ずしも腕の内側に配置された表示領域２に見出し情報に関連した秘匿情報を表示するのではなく、腕の移動度合いからユーザが視認していると推定された領域３に見出し情報を表示する。
【０１９１】
一方、ステップＳ５０Ａの判定処理で、ユーザがまだ見出し領域３を視認し続けていると判定された場合にはステップＳ７０Ａに移行する。
【０１９２】
ステップＳ７０Ａにおいて、ＣＰＵ２１は、入力ユニット５の一例であるタッチパネルを介して、ユーザが見出し領域３を押下する操作を検知したか否かを判定する。
【０１９３】
ユーザが見出し領域３を押下する操作を検知した場合には、見出し領域３で秘匿情報を確認したいというユーザの意思表示と捉えられるため、ＣＰＵ２１はステップＳ９０Ａに移行し、見出し領域３に秘匿情報を表示する。
【０１９４】
一方、ユーザが見出し領域３を押下する操作が検知されなかった場合にはステップＳ５０Ａに移行する。すなわち、ＣＰＵ２１は、ユーザが見出し領域３と異なる領域３を視認する視認動作か、見出し領域３を押下する操作を行うまで、ステップＳ５０ＡとＳ７０Ａの判定処理を繰り返し実行する。
【０１９５】
なお、ＣＰＵ２１は、ステップＳ８０からＳ９０Ａに移行してきた場合、ステップＳ９０Ａにおいて、見出し領域３に見出し情報によって表される情報の内容を表示する。
【０１９６】
以上により、図１９に示す表示処理を終了する。
【０１９７】
図１９に示した表示処理では、ステップＳ６０Ａで、動きセンサ８で計測された腕の移動量及び腕の回転量を用いて腕の移動後にユーザが視認している領域３を推定したが、カメラ９で撮影した画像を用いて、腕の移動後にユーザが視認している領域３を特定してもよい。
【０１９８】
具体的には、ステップＳ５０Ａで見出し領域３と異なる領域３を視認する視認動作を検知したと判定された後、ＣＰＵ２１は、各々のカメラ９を制御して画像を撮影する。そして、ＣＰＵ２１は、各々の画像の中からユーザが含まれる画像を抽出し、抽出した画像に含まれるユーザの視線を検知して、ユーザの視線が向いている画像をユーザ画像として選択する。そして、ＣＰＵ２１は、選択したユーザ画像にユーザ以外の他者が含まれる場合、ユーザだけが含まれるユーザ画像が得られるまで各々のカメラ９を制御して画像を撮影し続ける。
【０１９９】
ユーザだけが含まれるユーザ画像が得られた場合、ユーザは当該ユーザ画像を撮影したカメラ９と隣接する領域３を視認していると考えられる。したがって、ＣＰＵ２１は、当該ユーザ画像を撮影したカメラ９と隣接する領域３に見出し情報に関連した秘匿情報を表示すればよい。
【０２００】
なお、第１実施形態でも説明したように、ウェアラブル装置１０Ａは、ユーザだけが含まれるユーザ画像を撮影したカメラ９と隣接する領域３に、見出し情報と関連しない情報を表示するようにしてもよい。
【０２０１】
以上、各実施の形態を用いて本発明について説明したが、本発明は各実施の形態に記載の範囲には限定されない。本発明の要旨を逸脱しない範囲で各実施の形態に多様な変更又は改良を加えることができ、当該変更又は改良を加えた形態も本発明の技術的範囲に含まれる。例えば、本発明の要旨を逸脱しない範囲で処理の順序を変更してもよい。
【０２０２】
本実施の形態では、一例として表示処理をソフトウエアで実現する形態について説明したが、図６、図１６、及び図１９に示したフローチャートと同等の処理を、例えばＡＳＩＣ（Application Specific Integrated Circuit）に実装し、ハードウエアで処理させるようにしてもよい。この場合、表示処理をソフトウエアで実現した場合と比較して、処理の高速化が図られる。
【０２０３】
また、上述した実施の形態では、制御プログラムがＲＯＭ２２にインストールされている形態を説明したが、これに限定されるものではない。本発明に係る制御プログラムは、コンピュータで読み取り可能な記憶媒体に記録された形態で提供することも可能である。例えば、本発明に係る制御プログラムを、ＣＤ(Compact Disc)−ＲＯＭ、又はＤＶＤ(Digital Versatile Disc)−ＲＯＭ等の光ディスクに記録した形態で提供してもよい。また、本発明に係る制御プログラムを、ＵＳＢ(Universal Serial Bus)メモリ及びフラッシュメモリ等の半導体メモリに記録した形態で提供してもよい。更に、ウェアラブル装置１０、１０Ａは、通信ユニット４を介して通信回線に接続される外部装置から、本発明に係る制御プログラムを取得するようにしてもよい。
【符号の説明】
【０２０４】
１（２）・・・表示領域、３（３Ａ〜３Ｅ）・・・領域、４・・・通信ユニット、５・・・入力ユニット、６・・・表示ユニット、７・・・接点センサ、８・・・センサ、９（９Ａ〜９Ｅ）・・・カメラ、１０（１０Ａ）・・・ウェアラブル装置、１１・・・タッチパネル、１２（１２Ａ〜１２Ｃ）・・・表示画面、１３・・・入力部、１４・・・制御部、１５・・・検知部、１６・・・装着検知部、１７・・・表示部、１８・・・留め具、１９・・・ベルト、２０・・・コンピュータ、２１・・・ＣＰＵ、２２・・・ＲＯＭ、２３・・・ＲＡＭ、２４・・・不揮発性メモリ
【図１】
2020052572.tif 000003
【図２】
2020052572.tif 000004
【図３】
2020052572.tif 000005
【図４】
2020052572.tif 000006
【図５】
2020052572.tif 000007
【図６】
2020052572.tif 000008
【図７】
2020052572.tif 000009
【図８】
2020052572.tif 000010
【図９】
2020052572.tif 000011
【図１０】
2020052572.tif 000012
【図１１】
2020052572.tif 000013
【図１２】
2020052572.tif 000014
【図１３】
2020052572.tif 000015
【図１４】
2020052572.tif 000016
【図１５】
2020052572.tif 000017
【図１６】
2020052572.tif 000018
【図１７】
2020052572.tif 000019
【図１８】
2020052572.tif 000020
【図１９】
2020052572.tif 000021